(57)【要約】【課題】操作者が所望のアイコンを容易に見つけることができる表示装置を提供する。【解決手段】表示装置は、操作ボタン表示制御機能のプログラムを実行するプロセッサーを備える。前記操作ボタン表示制御機能は、複数のカテゴリーのうち、いずれかのカテゴリーを選択して縦方向へ画面Ｐをスクロールさせる入力が行なわれると、前記選択されたカテゴリーに属し、前記画面Ｐに表示されていない操作ボタンＢが前記画面Ｐに表示されるよう、画面Ｐのうち前記選択されたカテゴリーの部分のみを、縦方向へスクロールさせる。また、前記操作ボタン表示制御機能は、横方向へ前記画面Ｐをスクロールさせる入力が行なわれると、前記画面Ｐに表示されていないカテゴリーの操作ボタンＢが前記画面Ｐに表示されるように、横方向へ前記画面Ｐを全体的にスクロールさせる。【選択図】図１３
2015207133.tif 000002
【特許請求の範囲】
【請求項１】
複数のアイコンが表示されるアイコン表示部と、
複数のカテゴリーのいずれかに属する前記アイコンを、カテゴリーごとに分けた状態で、前記アイコン表示部における一つの画面に表示させるアイコン表示制御機能であって、同一カテゴリーに属する前記アイコンを第一の方向に並べて表示させ、前記第一の方向と直交する第二の方向に、異なるカテゴリーの前記アイコンを表示させるアイコン表示制御機能のプログラムを実行するプロセッサーと、
前記画面をスクロールさせる入力を操作者が行なう入力部と、
を備え、
前記アイコン表示制御機能は、操作者が前記入力部において、前記複数のカテゴリーのうち、いずれかのカテゴリーを選択して該カテゴリーに属するアイコンが配置された前記第一の方向へ前記画面をスクロールさせる入力を行なうと、該入力に基づいて、前記選択されたカテゴリーに属し、前記画面に表示されていないアイコンが前記画面に表示されるよう、該画面のうち前記選択されたカテゴリーの部分のみを、前記第一の方向へスクロールさせ、なおかつ前記アイコン表示制御機能は、操作者が前記入力部において、前記第二の方向へ前記画面をスクロールさせる入力を行なうと、該入力に基づいて、前記画面に表示されていないカテゴリーのアイコンが前記画面に表示されるように、前記第二の方向へ前記画面を全体的にスクロールさせる
ことを特徴とする表示装置。
【請求項２】
前記アイコン表示部はタッチスクリーンであり、前記アイコンは、タッチスクリーンにおける前記画面に表示されることを特徴とする請求項１に記載の表示装置。
【請求項３】
前記タッチスクリーンにおける前記画面が、前記入力部を兼ねていることを特徴とする請求項２に記載の表示装置。
【請求項４】
前記入力部は、ハードキー及びポインティングデバイスであることを特徴とする請求項１〜３のいずれか一項に記載の表示装置。
【請求項５】
前記プロセッサーは、前記アイコンの情報と該アイコンが属するカテゴリーの情報とを含むプリセット情報を作成する情報作成機能であって、操作者が前記アイコンと該アイコンが属するカテゴリーとを特定する入力に基づいて前記プリセット情報を作成する情報作成機能のプログラムを実行し、
前記アイコン表示制御機能は、前記プリセット情報に基づいて、前記アイコンを表示させる
ことを特徴とする請求項１〜４のいずれか一項に記載の表示装置。
【請求項６】
前記プリセット情報は、記憶部に記憶されており、
前記情報作成機能は、前記記憶部に記憶されたプリセット情報における前記カテゴリー又は前記アイコンを追加又は削除する操作者の入力に基づいて、前記プリセット情報を更新することを特徴とする請求項５に記載の表示装置。
【請求項７】
前記アイコンは、タッチスクリーンに表示されたソフトキーであって、操作者によって選択される操作ボタンであることを特徴とすることを特徴とする請求項１〜６のいずれか一項に記載の表示装置。
【請求項８】
前記アイコン表示部、前記プロセッサー及び入力部は、医用画像を撮影する医用画像撮影装置におけるアイコン表示部、プロセッサー及び入力部であることを特徴とする請求項１〜７のいずれか一項に記載の表示装置。
【請求項９】
前記アイコンは、医用画像の撮影中に操作者によって選択される操作ボタンであることを特徴とする請求項８に記載の表示装置。
【請求項１０】
複数のアイコンが表示されるアイコン表示部と、
複数のカテゴリーのいずれかに属する前記アイコンを、カテゴリーごとに分けた状態で一つの画面に表示させるアイコン表示制御部であって、同一カテゴリーに属する前記アイコンを第一の方向に並べて表示させ、前記第一の方向と直交する第二の方向に、異なるカテゴリーの前記アイコンを表示させるアイコン表示制御部と、
前記画面をスクロールさせる入力を操作者が行なう入力部と、
を備え、
前記アイコン表示制御部は、操作者が前記入力部において、前記複数のカテゴリーのうち、いずれかのカテゴリーを選択して該カテゴリーに属するアイコンが配置された前記第一の方向へ前記画面をスクロールさせる入力を行なうと、該入力に基づいて、前記選択されたカテゴリーに属し、前記画面に表示されていないアイコンが前記画面に表示されるよう、該画面のうち前記選択されたカテゴリーの部分のみを、前記第一の方向へスクロールさせ、なおかつ前記アイコン表示制御機能は、操作者が前記入力部において、前記第二の方向へ前記画面をスクロールさせる入力を行なうと、該入力に基づいて、前記画面に表示されていないカテゴリーのアイコンが前記画面に表示されるように、前記第二の方向へ前記画面を全体的にスクロールさせる
ことを特徴とする表示装置。
【請求項１１】
複数のカテゴリーのいずれかに属する複数のアイコンを、カテゴリーごとに分けた状態で、アイコン表示部における一つの画面に表示させるアイコン表示制御機能であって、同一カテゴリーに属する前記アイコンを第一の方向に並べて表示させ、前記第一の方向と直交する第二の方向に、異なるカテゴリーの前記アイコンを表示させるアイコン表示制御機能をプロセッサーに実行させる表示装置のプログラムであって、
前記アイコン表示制御機能は、操作者が前記入力部において、前記複数のカテゴリーのうち、いずれかのカテゴリーを選択して該カテゴリーに属するアイコンが配置された前記第一の方向へ前記画面をスクロールさせる入力を行なうと、該入力に基づいて、前記選択されたカテゴリーに属し、前記画面に表示されていないアイコンが前記画面に表示されるよう、該画面のうち前記選択されたカテゴリーの部分のみを、前記第一の方向へスクロールさせ、なおかつ前記アイコン表示制御機能は、操作者が前記入力部において、前記第二の方向へ前記画面をスクロールさせる入力を行なうと、該入力に基づいて、前記画面に表示されていないカテゴリーのアイコンが前記画面に表示されるように、前記第二の方向へ前記画面を全体的にスクロールさせる
ことを特徴とする表示装置のプログラム。
【発明の詳細な説明】
【技術分野】
【０００１】
本発明は、画面にアイコンを表示させる表示装置及びそのプログラムに関する。
【背景技術】
【０００２】
機器の画面にアイコンが表示され、このアイコンを用いて、操作者が機器の操作などを行なう場合がある。例えば、被検体の超音波画像を撮影する超音波診断装置においては、超音波画像が表示される表示部とは別にタッチスクリーン（ｔｏｕｃｈ  ｓｃｒｅｅｎ）を用いた補助表示部が設けられている装置があり（例えば、特許文献１参照）、この補助表示部に、アイコンとして、操作者が指示を入力するために操作者によって選択される操作ボタンが表示される。
【０００３】
前記補助表示部に表示される操作ボタンとしては、様々なカテゴリー（ｃａｔｅｇｏｒｙ）の操作ボタンがある。例えば、超音波画像において長さや面積を計測するための計測用マーカを前記表示部に表示させるための計測ボタン、前記超音波画像が表示された表示部に、ボディパターン（ｂｏｄｙ  ｐａｔｔｅｒｎ）を表示させるためのボディパターンボタン、前記超音波画像が表示された表示部に、コメント（ｃｏｍｍｅｎｔ）を表示させるためのコメントボタンなどがある。前記計測ボタン、前記ボディパターンボタン、前記コメントボタンには、様々な種類のボタンがある。
【先行技術文献】
【特許文献】
【０００４】
【特許文献１】特開２０１３−２７４９７号公報
【発明の概要】
【発明が解決しようとする課題】
【０００５】
上述のように、一つのカテゴリーに属する操作ボタンには様々なボタンがあり、またカテゴリーも様々である。このように、画面に表示されるアイコンとして様々なカテゴリーに属するアイコンがあり、また一つのカテゴリーに属するアイコンとして様々なアイコンがあっても、操作者が所望のアイコンを容易に見つけることができる表示装置が望まれている。
【課題を解決するための手段】
【０００６】
上記課題を解決するためになされた一の観点の発明は、アイコンが表示されるアイコン表示部と、複数のカテゴリーのいずれかに属する複数の前記アイコンを、カテゴリーごとに分けた状態で、前記アイコン表示部における一つの画面に表示させるアイコン表示制御機能であって、同一カテゴリーに属する前記アイコンを、第一の方向に並べて表示させ、前記第一の方向と直交する第二の方向に、異なるカテゴリーの前記アイコンを表示させるアイコン表示制御機能のプログラムを実行するプロセッサーと、前記画面をスクロールさせる入力を操作者が行なう入力部と、を備え、前記アイコン表示制御機能は、操作者が前記入力部において、前記複数のカテゴリーのうち、いずれかのカテゴリーを選択して該カテゴリーに属するアイコンが配置された前記第一の方向へ前記画面をスクロールさせる入力を行なうと、この入力に基づいて、前記選択されたカテゴリーに属し、前記画面に表示されていないアイコンが前記画面に表示されるよう、該画面のうち前記選択されたカテゴリーの部分のみを、前記第一の方向へスクロールさせ、なおかつ前記アイコン表示制御機能は、操作者が前記入力部において、前記第二の方向へ前記画面をスクロールさせる入力を行なうと、この入力に基づいて、前記画面に表示されていないカテゴリーのアイコンが前記画面に表示されるように、前記第二の方向へ前記画面を全体的にスクロールさせることを特徴とする表示装置である。
【発明の効果】
【０００７】
上記一の観点の発明によれば、複数のカテゴリーのいずれかに属する複数のアイコンが、カテゴリーごとに分かれた状態で一つの画面に表示されるので、表示されているアイコンの中から所望のアイコンを容易に見つけることができる。また、前記画面のうち、選択されたカテゴリーの部分のみを前記第一の方向へスクロールすることにより、そのカテゴリーにおいて前記画面に表示されていないアイコンを表示させることができ、また前記第二の方向へ前記画面をスクロールすることにより、前記画面に表示されていないカテゴリーのアイコンを表示させることができる。これにより、前記画面に表示されていなかった所望の操作ボタンを容易に見つけることができる。
【図面の簡単な説明】
【０００８】
【図１】本発明の実施の形態の一例である超音波診断装置の概略構成を示すブロック図である。
【図２】表示処理部の構成を示すブロック図である。
【図３】超音波診断装置の外観を示す概略図である。
【図４】制御部の機能の一部を示すブロック図である。
【図５】実施形態の超音波診断装置の作用を示すフローチャートである。
【図６】検査部位を選択するための操作ボタンが表示された補助表示部を示す図である。
【図７】異なるカテゴリーに属する複数の操作ボタンが、カテゴリーごとに表示された補助表示部を示す図である。
【図８】プリセット情報の作成の処理を示すフローチャートである。
【図９】カテゴリー選択ボタンが表示された補助表示部を示す図である。
【図１０】コメントボタンを選択するための選択画像が表示された表示部を示す図である。
【図１１】計測用マーカ、コメント及びボディパターンが表示された表示部を示す図である。
【図１２】補助表示部の画面が四つの領域に分かれていることを説明する図である。
【図１３】縦方向にスクロールされた状態の補助表示部を示す図である。
【図１４】ハードキーによる第一の領域〜第四の領域のいずれかを選択する入力を説明する図である。
【図１５】横方向にスクロールされた状態の補助表示部を示す図である。
【発明を実施するための形態】
【０００９】
以下、本発明の実施形態について図面を参照して説明する。図１には、被検体の超音波画像を撮影する超音波診断装置１が示されている。この超音波診断装置１は、本発明に係る表示装置を含んでいる。以下、具体的に説明する。
【００１０】
前記超音波診断装置１は、超音波プローブ２、送受信ビームフォーマ３、エコーデータ処理部４、表示処理部５、表示部６、操作部７、制御部８、記憶部９を備える。前記超音波プローブ２は、アレイ（ａｒｒａｙ）状に配置された複数の超音波振動子を有して構成され、これら超音波振動子によって被検体に対して超音波を送信し、そのエコー信号を受信する。
【００１１】
前記送受信ビームフォーマ３は、前記制御部８からの制御信号に基づいて、前記超音波プローブ２を駆動させて所定の送信パラメータ（ｐａｒａｍｅｔｅｒ）を有する超音波を送信させる。また、送受信ビームフォーマ３は、超音波のエコー信号について、整相加算処理等の信号処理を行なう。
【００１２】
前記エコーデータ処理部４は、前記送受信ビームフォーマ３から出力されたエコーデータに対し、例えば、対数圧縮処理、包絡線検波処理を含むＢモード処理を行い、Ｂモードデータを作成する。ただし、前記エコーデータ処理部４は、ドプラ（ｄｏｐｐｌｅｒ）処理など、他の処理を行ってもよい。
【００１３】
前記表示処理部５は、図２に示すように、画像表示制御部５１、操作ボタン表示制御部５２を有する。前記画像表示制御部５１は、前記エコーデータ処理部４において得られたローデータ（ｒａｗ  ｄａｔａ）をスキャンコンバータ（ｓｃａｎ  ｃｏｎｖｅｒｔｅｒ）によって走査変換して超音波画像データを作成し、この超音波画像データに基づく超音波画像を前記表示部６に表示させる。例えば、前記画像表示制御部５１は、前記Ｂモードデータをスキャンコンバータによって走査変換してＢモード画像データを作成し、このＢモード画像データに基づくＢモード画像を前記表示部６に表示させる。Ｂモード画像は、医用画像の一例である。
【００１４】
また、前記画像表示制御部５１は、例えば文字や図形等の前記超音波画像以外の画像を前記表示部６に表示させる。
【００１５】
前記操作ボタン表示制御部５２は、前記操作部７に設けられた後述の補助表示部１０に、操作ボタンＢを表示させる（操作ボタン表示制御機能）。この操作ボタンＢは、操作者が前記超音波診断装置１に対して指示を入力するためのボタンである。操作者は指示を入力するために、前記操作ボタンＢを選択する。
【００１６】
前記操作ボタン表示制御部５２は、複数のカテゴリーのいずれかに属する複数の操作ボタンＢを、カテゴリーごとに分けた状態で一つの画面に表示する。詳細は後述する。前記操作ボタン表示制御機能は、本発明におけるアイコン表示制御機能の実施の形態の一例である。また、前記操作ボタン表示制御部５２は、本発明におけるアイコン表示制御部の実施の形態の一例である。
【００１７】
前記表示部６は、ＬＣＤ（Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイなどである。
【００１８】
前記操作部７は、特に図示しないが、操作者が指示や情報を入力するためのキーボード（ｋｅｙｂｏａｒｄ）や操作ボタン、トラックボール（ｔｒａｃｋｂａｌｌ）等のポインティングデバイス（ｐｏｉｎｔｉｎｇ  ｄｅｖｉｃｅ）などを含んで構成されている。
【００１９】
前記操作ボタンは、ソフトキーとハードキーである。前記操作部７には、図３に示すように補助表示部１０が設けられており、この補助表示部１０に前記ソフトキーとしての前記操作ボタンＢ（図７等参照）が表示される。前記補助表示部１０は、本例ではタッチスクリーンで構成される。前記ソフトキーとしての前記操作ボタンＢは、本発明におけるアイコンの実施の形態の一例である。また、前記補助表示部１０は、本発明におけるアイコン表示部の実施の形態の一例であり、前記補助表示部１０における前記操作ボタンＢが表示された画面Ｐ（図７参照）は、本発明における入力部の実施の形態の一例である。
【００２０】
なお、前記ハードキーとしての操作ボタンについては、図示省略する。
【００２１】
前記制御部８は、ＣＰＵ（Ｃｅｎｔｒａｌ  Ｐｒｏｃｅｓｓｉｎｇ  Ｕｎｉｔ）等のプロセッサーである。この制御部８は、前記記憶部９に記憶されたプログラムを読み出し、前記超音波診断装置１の各部を制御する。例えば、前記制御部８は、前記記憶部９に記憶されたプログラムを読み出し、読み出されたプログラムにより、前記送受信ビームフォーマ３、前記エコーデータ処理部４及び前記表示処理部５の機能を実行させる。前記制御部８を構成するプロセッサーは、本発明におけるプロセッサーの実施の形態の一例である。
【００２２】
前記制御部８は、前記送受信ビームフォーマ３の機能のうちの全て、前記エコーデータ処理部４の機能のうちの全て及び前記表示処理部５の機能のうちの全ての機能をプログラムによって実行してもよいし、一部の機能のみをプログラムによって実行してもよい。前記制御部８が一部の機能のみを実行する場合、残りの機能は回路等のハードウェアによって実行されてもよい。
【００２３】
なお、前記送受信ビームフォーマ３、前記エコーデータ処理部４及び前記表示処理部５の機能は、回路等のハードウェアによって実現されてもよい。
【００２４】
また、前記制御部８は、前記記憶部９に記憶されたプログラムを読み出し、このプログラムによって、図４に示す情報作成部８１の機能を実行させる。この情報作成部８１は、前記操作ボタン表示制御部８１によって前記補助表示部１０に表示される操作ボタンＢの情報と、この操作ボタンが属するカテゴリーの情報とを含むプリセット情報を作成する（情報作成機能）。詳細は後述する。前記情報作成機能は、本発明における情報作成機能の実施の形態の一例である。
【００２５】
前記記憶部９は、ＨＤＤ（Ｈａｒｄ  Ｄｉｓｋ  Ｄｒｉｖｅ：ハードディスクドライブ）や、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等の半導体メモリ（Ｍｅｍｏｒｙ）である。前記記憶部９は、本発明における記憶部の実施の形態の一例である。
【００２６】
次に、本例の超音波診断装置１の作用について図５のフローチャートに基づいて説明する。この図５のフローチャートは、前記超音波診断装置１を用いた検査における処理フローを示している。
【００２７】
先ず、ステップＳ１では、前記操作ボタン表示制御部５２が、図６に示すように、検査の種類を選択するための操作ボタンＢを前記補助表示部１０に表示させる。前記操作ボタン表示制御部５２は、前記操作部７における操作者の入力に基づいて、前記操作ボタンＢを表示させる。そして、操作者は、前記補助表示部１０に表示された操作ボタンＢによって検査の種類を選択する。
【００２８】
ここでの検査の種類は、検査部位である。前記操作ボタンＢは、検査部位を選択するための操作ボタンＢｒである。ここでは特に図示しないが、操作ボタンＢｒの各々には、検査部位を示す文字が表示されている。操作者が、所望の検査部位に対応する操作ボタンＢｒを選択すると、選択された操作ボタンＢｒは、他の操作ボタンＢｒとは異なる色で表示される（図６では、ドット（ｄｏｔ）で示されている）。ここでは、検査部位として腎臓が選択されたものとする。
【００２９】
前記補助表示部１０に表示された操作ボタンＢの選択は、操作者が前記補助表示部１０に表示された操作ボタンＢを指等で触れることによって行なわれてもよいし、前記操作部７のポインティングデバイスを用いて行われてもよい。以降の説明における前記補助表示部１０に表示された操作ボタンＢの選択も、同様である。すなわち、前記操作部７の前記補助表示部１０における入力は、補助表示部１０を操作者が指等で触れることによる入力であってもよいし、ポインティングデバイスを用いた入力であってもよい。
【００３０】
前記ステップＳ１において検査部位が選択されると、ステップＳ２では、図７に示すように、前記操作ボタン表示制御部５２が、操作者によって予め特定された複数の操作ボタンＢを前記補助表示部１０に表示させる。より詳細には、前記操作ボタン表示制御部５２は、複数のカテゴリーのいずれかに属する複数の操作ボタンＢをカテゴリーごとに分けた状態で一つの画面Ｐに表示させる。
【００３１】
本例では、四つのカテゴリーのいずれかに属する複数の操作ボタンＢが表示されている。一つ目のカテゴリーは、前記表示部６に表示された超音波画像において長さや体積などを計測するための計測用マーカＭＫ（図１１参照）を前記表示部６に表示するための計測ボタンＢｍのカテゴリーであり、二つ目のカテゴリーは、前記表示部６においてコメントＣＭ（図１１参照）を表示するためのコメントボタンＢｃのカテゴリーである。また、三つ目のカテゴリーは、前記表示部６にボディパターンＢＰ（図１１参照）を表示するためのボディパターンボタンＢｂのカテゴリーであり、四つ目のカテゴリーは、その他の指示を入力するためのボタンＢｏのカテゴリーである。なお、図７において、前記カテゴリーの各々を囲む二点鎖線は説明の便宜のために示されたものである。
【００３２】
前記計測ボタンＢｍ、前記コメントボタンＢｃ、前記ボディパターンボタンＢｂ及び前記ボタンＢｏの形状は、図７では長方形であるが、これに限られるものではない。例えば、前記ボディパターンボタンＢｂは、ボディパターンＢＰの形状であってもよい。
【００３３】
同じカテゴリーに属する操作ボタンＢ（前記計測ボタンＢｍ、前記コメントボタンＢｃ、前記ボディパターンボタンＢｂ、前記ボタンＢｏ）は、前記補助表示部１０における縦方向に配置されている。この縦方向は、本発明における第一の方向の実施の形態の一例である。また、同じカテゴリーに属する操作ボタンＢの配置方向と直交する横方向においては、異なるカテゴリーが配置されている。この横方向は、本発明における第二の方向の実施の形態の一例である。
【００３４】
前記ステップＳ２において表示される前記操作ボタンＢは、Ｂモード画像などの超音波画像の撮影中に操作者が指示を入力するために操作者によって選択されるボタンである。本例では、前記操作ボタンＢは、Ｂモード画像の撮影中に、前記表示部６に表示されたＢモード画像に、前記計測用マーカＭＫや前記ボディパターンＢＰなどの図形、前記コメントＣＭなどの文字等を表示させるボタンである。
【００３５】
このステップＳ２において、前記操作ボタン表示制御部５２は、前記記憶部９に記憶されたプリセット情報に基づいて、前記計測ボタンＢｍ、前記コメントボタンＢｃ、前記ボディパターンボタンＢｂ、前記ボタンＢｏを表示させる。前記プリセット情報は、操作ボタンＢの情報とこの操作ボタンＢが属するカテゴリーの情報とを含む。
【００３６】
前記プリセット情報における一つのカテゴリーに属する操作ボタンＢの数は、前記補助表示部１０の一つの画面Ｐに表示できる数よりも多い。また、前記プリセット情報におけるカテゴリーの数も、前記補助表示部１０の一つの画面Ｐに表示できる数よりも多い。従って、前記操作ボタン表示制御部５２は、前記プリセット情報に含まれるカテゴリー及び操作ボタンＢの中から、所定のカテゴリーにおける所定の操作ボタンＢを選択して、これを初期表示として表示させる。この「初期表示」とは、後述するように、前記画面Ｐがスクロールされる前の状態を意味する。
【００３７】
例えば、前記操作ボタン表示制御部５２は、予め決められたカテゴリー及び操作ボタンＢを、初期表示として常に表示させてもよいし、検査の種類が同一である前回の検査の時に最後に表示されたカテゴリー及び操作ボタンＢを、初期表示として表示させてもよい。前記画面Ｐに表示されるカテゴリーの数及び一つのカテゴリーにおいて表示される操作ボタンＢの数は、操作ボタンＢが、ユーザビリティを確保できる大きさで表示できる数である。
【００３８】
前記プリセット情報における操作ボタンＢ及びこの操作ボタンＢが属するカテゴリーは、操作者によって特定された操作ボタン及びカテゴリーである。前記プリセット情報は、前記超音波診断装置１において行われる検査の種類ごとに前記情報作成部８１によって作成され、前記記憶部９に記憶されている。前記情報作成部８１は、検査の種類、操作ボタンＢ、カテゴリーを特定する情報が、操作者によって前記操作部７において入力されると、この入力に基づいて、前記プリセット情報を作成する。検査の種類とは、検査部位や検査目的である。
【００３９】
ここでは、前記プリセット情報は、腎臓の検査について作成され記憶された情報であり、操作者によって特定された計測ボタンＢｍ、前記コメントボタンＢｃ、前記ボディパターンボタンＢｂ、前記ボタンＢｏの情報である。
【００４０】
前記プリセット情報の作成について説明する。このプリセット情報の作成は、検査前（図５のステップＳ１〜Ｓ４の処理が行われる前）に行われる。前記プリセット情報は、操作者の入力によって作成される。このプリセット情報を作成するための入力を行なう操作者は、前記超音波診断装置１を用いた検査を行なう検査者であってもよい。また、プリセット情報を作成するための入力を行なう操作者は、検査者以外の者であってもよい。検査者以外の者は、例えば前記超音波診断装置１を病院などの施設に設置する者や、工場での出荷時に入力を行なう者などであってもよい。
【００４１】
図８のフローチャートに基づいて、前記プリセット情報の作成について具体的に説明する。先ず、ステップＳ１１では、操作者は、検査の種類として、腎臓の検査を選択する入力を行なう（図６参照）。次に、ステップＳ１２では、前記操作ボタン表示制御部５２は、図９に示すように、カテゴリーを選択するためのカテゴリー選択ボタンＢｓを前記補助表示部１０に表示させる。前記操作ボタン表示制御部５２は、前記操作部７における操作者の入力に基づいて、前記カテゴリー選択ボタンＢｓを表示させる。このカテゴリー選択ボタンＢｓが表示されると、操作者は、前記操作部７において、所望のカテゴリーのカテゴリー選択ボタンＢｓを選択する入力を行なう。図９では、コメントボタンＢｃのカテゴリーを選択するためのカテゴリー選択ボタンＢｓｃが選択されている。選択されたカテゴリー選択ボタンＢｓｃは、他のカテゴリー選択ボタンＢｓとは異なる色で表示される（図９では、ドットが付されている）。
【００４２】
前記カテゴリー選択ボタンＢｓに対応するカテゴリーは、前記記憶部９に記憶されている。この記憶部９には、様々な検査に対応して超音波診断装置１で用いられる可能性がある操作ボタンＢのカテゴリーが記憶されている。
【００４３】
次に、ステップＳ１３では、操作者は、前記ステップＳ１２において選択されたカテゴリーにおける操作ボタンＢの種類を選択する。ここでは、コメントボタンＢｃの種類が選択される。具体的には、前記ステップＳ１２において、コメントボタンＢｃのカテゴリーが選択されると、このステップＳ１３では、前記画像表示制御部５１は、図１０に示すように、コメントボタンＢｃの種類を選択するための選択画面Ｐｓを前記表示部６に表示させる。この選択画面Ｐｓは、コメントボタンＢｃの種類が羅列されたコメント一覧Ｖを有する。操作者は、このコメント一覧Ｖにおいて、前記操作部７を用いて所望のコメントボタンＢｃの種類を選択する入力を行なう。選択されたコメントボタンＢｃの種類は、選択済みボタン表示欄Ｃに表示される。操作者は、腎臓の検査において前記超音波診断装置１の操作者が使用する可能性があるコメントボタンＢｃを選択する。
【００４４】
前記コメントボタンＢｃなどの前記操作ボタンＢの種類は、前記記憶部９に記憶されている。この記憶部９には、様々な検査に対応して超音波診断装置１で用いられる可能性がある操作ボタンＢが記憶されている。
【００４５】
前記ステップＳ１３においてコメントボタンＢｃの種類が選択されると、ステップＳ１４では、前記プリセット情報作成部８１は、腎臓の検査のプリセット情報として、前記ステップＳ１２において選択されたコメントボタンＢｃのカテゴリー、前記ステップＳ１３において選択されたコメントボタンＢｃの種類を内容とするプリセット情報を作成する。作成されたプリセット情報は、前記記憶部９に記憶される。
【００４６】
前記計測ボタンＢｍのカテゴリー、前記ボディパターンボタンＢｂのカテゴリー、その他の指示を入力するための前記ボタンＢｏのカテゴリーについても、上述と同様にして前記プリセット情報が作成され記憶される。
【００４７】
前記記憶部９に記憶された前記プリセット情報における操作ボタンの種類やカテゴリーは、追加及び削除することができる。具体的には、操作者は、前記ステップ１１〜Ｓ１３と同様に、前記操作部７において、検査の種類を選択し、カテゴリーを選択し、操作ボタンＢの種類を選択する入力を行なうことにより、操作ボタンの種類やカテゴリーを追加することができる。また、操作者は、特に図示しないが、前記プリセット情報におけるカテゴリーや操作ボタンＢの種類を削除する入力を、前記操作部７において行なうことができる。前記情報作成部８１は、前記操作部７における入力によって操作ボタンＢの種類やカテゴリーが追加又は削除されると、前記プリセット情報の内容を更新する。更新されたプリセット情報は前記記憶部９に記憶される。
【００４８】
腎臓以外の検査の種類についても、一つの画面Ｐに表示される操作ボタンＢとこの操作ボタンＢが属するカテゴリーの情報を含むプリセット情報が、腎臓の検査のプリセット情報と同様に作成され、前記記憶部９に記憶されている。従って、この記憶部９に記憶されているプリセット情報は、いずれの検査の種類についてのプリセット情報であるかを区別するために、検査の種類を特定する情報を含んでいる。
【００４９】
図５のフローチャートの説明に戻る。前記ステップＳ２において、前記計測ボタンＢｍ、前記コメントボタンＢｃ、前記ボディパターンボタンＢｂ、前記ボタンＢｏが表示されると、ステップＳ３では、操作者は、前記超音波プローブ２による超音波の送受信を開始する。これにより、前記表示部６にＢモード画像が表示される。
【００５０】
次に、ステップＳ４では、前記超音波プローブ２による超音波の送受信を行なっている操作者は、前記ステップＳ２において前記補助表示部１０に表示された計測ボタンＢｍ、前記コメントボタンＢｃ、前記ボディパターンボタンＢｂ、前記ボタンＢｏのうち、必要な操作ボタンＢを選択する入力を前記操作部７において行なう。例えば、操作者が、前記計測ボタンＢｍのうち一つの計測ボタンＢｍを選択する入力を前記操作部７において行なうことにより、前記画像表示制御部５１は、図１１に示すように、前記表示部６に表示されたＢモード画像ＢＩの上に、二点間の距離を計測するための計測用マーカ（ｍａｒｋｅｒ）ＭＫを表示させる。また、操作者が、前記コメントボタンＢｃのうち一つのコメントボタンＢｃを選択する入力を前記操作部７において行なうことにより、前記画像表示制御部５１は、前記表示部６に、「Ｌｔ  Ｋｉｄｎｅｙ」の文字からなるコメントＣＭを表示させる。また、操作者が、前記ボディパターンボタンＢｂのうち一つのボディパターンボタンＢｂを選択する入力を前記操作部７において行なうことにより、前記画像表示制御部５１は、選択されたボディパターンＢＰを、前記表示部６に表示させる。
【００５１】
前記ステップＳ４において、前記補助表示部１０に表示された前記操作ボタンＢの中に、操作者が選択したい操作ボタンがない場合、操作者は、前記補助表示部１０の画面Ｐをスクロールして、所望の操作ボタンＢを探す。そして、所望の操作ボタンＢが表示されると、これを選択する。
【００５２】
前記画面Ｐのスクロールについて具体的に説明する。図１２に示すように、前記画面Ｐは、横方向において、四つの領域、すなわち第一の領域Ｒ１、第二の領域Ｒ２、第三の領域Ｒ３、第四の領域Ｒ４に分かれている。図１２において、二点鎖線は、前記第一の領域Ｒ１〜前記第四の領域Ｒ４の各々の境界を示している。ただし、二点鎖線は仮想的な線であり、前記補助表示部１０に表示されない。
【００５３】
前記第一の領域Ｒ１には前記計測ボタンＢｍが配置され、前記第二の領域Ｒ２には前記コメントボタンＢｃが配置されている。また、前記第三の領域Ｒ３には前記ボディパターンボタンＢｂが配置され、前記第四の領域Ｒ４には前記ボタンＢｏが配置されている。操作者は、前記画面Ｐにおける前記第一の領域Ｒ１〜前記第四の領域Ｒ４の各々を独立してスクロールすることができる。詳細には、図１３に示すように、操作者が、前記画面Ｐにおける前記第一の領域Ｒ１〜前記第四の領域Ｒ４のいずれかを指で触れて縦方向にスライドさせる入力（フリック（ｆｌｉｃｋ）入力）を行なうと、前記操作ボタン表示制御部５２は、前記第一の領域Ｒ１〜前記第四の領域Ｒ４のうち、指でスライドされた部分の領域を縦方向にスクロールさせる。前記操作ボタン表示制御部５２は、指でスライドされた部分の領域に対応するカテゴリーに属し、前記画面Ｐに表示されていない操作ボタンＢが表示されるようにスクロールさせる。図１３では、前記第一の領域Ｒ１がスクロールされている。このスクロールにより、前記画面Ｐに表示されていない計測ボタンＢｍを表示することができる。
【００５４】
上述の指で触れてスライドさせる入力は、本発明において、カテゴリーを選択してこのカテゴリーに属するアイコンが配置された第一の方向へ画面をスクロールさせる入力の実施の形態の一例である。
【００５５】
ただし、前記第一の領域Ｒ１〜前記第四の領域Ｒ４のいずれかを選択してスクロールさせる入力は、指で触れてスライドさせる入力に限られるものではなく、前記操作部７のハードキー及びポインティングデバイスによる入力であってもよい。この場合、前記操作部７のハードキー及びポインティングデバイスは、本発明における入力部の実施の形態である。
【００５６】
具体的には、先ず、操作者は、ハードキーによって前記第一の領域Ｒ１〜前記第四の領域Ｒ４のいずれかを選択する入力を行なう。選択された領域は、例えば図１４に示すように他の領域とは異なる色で表示される（図１４では、ドットで示されている）。図１４では、前記第一の領域Ｒ１が選択されている。次に、操作者は、トラックボールを用いて選択された領域をスクロールさせる。ただし、ここで説明した入力方法は一例である。
【００５７】
また、操作者は、前記画面Ｐを横方向へスクロールさせることにより、前記画面Ｐに表示されていないカテゴリーの操作ボタンＢを表示させることができる。具体的には、操作者が、図１５に示すように、前記画面Ｐを指で触れて横方向へスライドさせる入力を行なうと、前記操作ボタン表示制御部５２は、横方向へ前記画面Ｐを全体的にスクロールさせる。前記操作ボタン表示制御部５２は、前記画面Ｐに表示されていなかったカテゴリーの操作ボタンＢｘが、前記画面Ｐに表示されるようにスクロールさせる。このスクロールにより、前記画面Ｐに表示されていた前記計測ボタンＢｍ、前記コメントボタンＢｃ、前記ボディパターンボタンＢｂ及び前記ボタンＢｏ以外のカテゴリーの操作ボタンＢｘを表示することができる。
【００５８】
本例によれば、ある検査において、操作者が前記超音波診断装置１において使用する可能性がある操作ボタンＢが、操作者によって特定され、この操作ボタンＢがプリセット情報として記憶される。そして、プリセット情報として記憶された操作ボタンＢが、カテゴリーごとに分かれて一画面に表示されるので、操作者は、検査中に、必要な操作ボタンＢをすぐに見つけることができる。従って、操作者のワークフローを改善させることができる。
【００５９】
特に、前記超音波診断装置１においては、Ｂモード画像の撮影中に、操作者は、前記超音波プローブ２を手に持って超音波の送受信を行なっている。本例によれば、撮影中に操作者によって選択される操作ボタンＢが、上述のように表示されているので、撮影中であっても簡単に操作ボタンＢを選択することができる。
【００６０】
また、前記画面Ｐに全ての操作ボタンＢが表示されないので、ユーザビリティを確保できる大きさで前記操作ボタンＢを表示することができる。そして、このように全ての操作ボタンＢが表示されないものの、前記画面Ｐをカテゴリーごとに縦方向へスクロールすることができ、なおかつ前記画面Ｐの全体を横方向へスクロールすることができるので、前記画面Ｐに表示されていなかった所望の操作ボタンＢを、容易に見つけることができる。
【００６１】
以上、本発明を前記実施形態によって説明したが、本発明はその主旨を変更しない範囲で種々変更実施可能なことはもちろんである。例えば、前記プリセット情報は、操作者ごとに作成されてもよい。また、前記プリセット情報は、超音波撮影における撮影モードごとに作成されてもよい。撮影モードとは、Ｂモード、ドプラモードなどである。さらに、前記プリセット情報は、前記超音波プローブ２の種類ごとに作成されてもよい。
【００６２】
また、前記プリセット情報は、検査の種類、操作者、撮影モード、前記超音波プローブ２の種類の二以上の組み合わせごとに作成されてもよい。例えば、前記プリセット情報は、検査の種類ごとに、なおかつ操作者ごとに作成されてもよい。
【００６３】
また、上述の超音波診断装置１は、本発明に係る表示装置、すなわち操作者が指示を入力する操作ボタンを表示する表示装置の一例である。本発明は、超音波診断装置に限定されるものではない。例えば、本発明は、Ｘ線ＣＴ（Ｃｏｍｐｕｔｅｄ  Ｔｏｍｏｇｒａｐｈｙ）装置やＭＲＩ（Ｍａｇｎｅｔｉｃ  Ｒｅｓｏｎａｎｃｅ  Ｉｍａｇｉｎｇ）装置など、被検体の医用画像を撮影する医用画像撮影装置にも同様に適用することができる。その他、本発明は、操作者が指示を入力する操作ボタンを表示する表示装置であればよい。さらに、本発明におけるアイコンは、操作者が指示を入力する操作ボタンに限られるものでもない。本発明は、アイコンを表示する表示装置であればよい。
【符号の説明】
【００６４】
１  超音波診断装置
８  制御部（プロセッサー）
９  記憶部
１０  補助表示部（アイコン表示部）
５２  操作ボタン表示制御部（アイコン表示制御部）
８１  情報作成部
Ｂ  操作ボタン（アイコン）
Ｐ  画面
【図１】
2015207133.tif 000003
【図２】
2015207133.tif 000004
【図３】
2015207133.tif 000005
【図４】
2015207133.tif 000006
【図５】
2015207133.tif 000007
【図６】
2015207133.tif 000008
【図７】
2015207133.tif 000009
【図８】
2015207133.tif 000010
【図９】
2015207133.tif 000011
【図１０】
2015207133.tif 000012
【図１１】
2015207133.tif 000013
【図１２】
2015207133.tif 000014
【図１３】
2015207133.tif 000015
【図１４】
2015207133.tif 000016
【図１５】
2015207133.tif 000017